【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
デュアルアクティブ接続を容易にするために、ユーザ機器(UE)デバイス上で動作可能な方法であって、
第1の送信パターンおよび別個の第1の受信パターンを受信するステップと、
送信機を、第1のアクセスノードとの第1の接続を介して前記第1の接続のための前記第1の送信パターンに従って送信するように構成し、受信機を、前記第1の接続のための前記受信パターンに従って受信するように構成するステップと、
を備える、方法。
【請求項２】
ワイヤレス通信サービスのための前記第1のアクセスノードとの前記第1の接続を、異なるアクセスノードからのハンドオーバまたはアイドル接続の再確立のために確立するステップをさらに備えるか、または、
第1の共存インジケータを前記第1のアクセスノードに提供するステップをさらに備え、前記第1の送信パターンおよび/または前記第1の受信パターンが、前記第1の共存インジケータに応答して受信される、請求項1に記載の方法。
【請求項３】
第1の共存インジケータが、前記UEデバイスの1つまたは複数の他の同時接続によって使用される無線アクセス技術を示すか、または、
前記第1の共存インジケータは、前記UEデバイスの1つまたは複数の他の同時接続上で使用される1つまたは複数のサービスを示すか、または、
前記送信機が、前記第1の送信パターン、および別個の第2の接続に関連付けられる第2の送信パターンに従ってタイムスロットを割り振るために時分割多重化(TDM)を使用する、請求項1に記載の方法。
【請求項４】
前記送信機を、前記第1の接続および1つまたは複数の他の別個の接続を含むデュアルアクティブ接続を容易にするように構成するステップをさらに備えるか、または、
前記送信機のみが接続のために前記UEデバイスにおいて利用可能であることを示すインジケータを前記第1のアクセスノードに提供するステップをさらに備える、請求項1に記載の方法。
【請求項５】
第2の接続を介して、第2の共存インジケータを前記第1のアクセスノードまたは第2のアクセスノードに提供するステップと、
前記第2の共存インジケータに応答して、第2の送信パターンおよび第2の受信パターンを受信するステップと、
前記送信機を、前記第1の接続を同時にサポートしながら前記第2の接続のための前記第2の送信パターンに従って送信するように構成するステップと、
をさらに備えるか、または、
前記送信機が前記第1の接続のために使用されていない間に、前記第1の接続を介する送信のためにパケットを統合するステップと、
前記送信機が前記第1の接続のために使用されているときに、前記統合されたパケットを一緒に送信するステップと
をさらに備える、請求項1に記載の方法。
【請求項６】
前記第1のアクセスノードから第1の受信機を介して前記第1の接続のためのアップリンク許可メッセージを受信するステップと、
前記アップリンク許可メッセージを受信すると、前記第1の接続を介して送信するために前記送信機を切り替えるステップと
をさらに備えるか、または、
第2の受信機を、前記第1の接続とは異なる第2の接続のための第2の受信パターンに従って受信するように構成するステップをさらに備えるか、または、
第1の受信機を、前記第1の接続のための前記第1の受信パターンに従い、かつ前記第1の接続とは異なる第2の接続のための第2の受信パターンに従って受信するように構成するステップをさらに備える、請求項1に記載の方法。
【請求項７】
1つまたは複数のワイヤレスネットワークを介して送信するように構成された送信機と、
1つまたは複数のワイヤレスネットワークを介して受信するように構成された受信機と、
前記送信機および受信機に結合された処理回路であって、
第1の送信パターンおよび別個の第1の受信パターンを受信し、
前記送信機を、第1のアクセスノードとの第1の接続を介して前記第1の接続のための前記第1の送信パターンに従って送信するように構成し、前記受信機を、前記第1の接続のための前記受信パターンに従って受信するように構成する
ように構成された処理回路と
を備える、ユーザ機器デバイス。
【請求項８】
前記処理回路が、第1の共存インジケータを前記第1のアクセスノードに提供するようにさらに構成され、前記第1の共存インジケータに応答して、前記第1の送信パターンおよび/または第1の受信パターンが受信されるか、または、
前記送信機が、前記第1の接続および1つまたは複数の他の別個の接続を含むデュアルアクティブ接続を容易にする、請求項7に記載のユーザ機器デバイス。
【請求項９】
前記送信機が、前記第1の送信パターンおよび第2の送信パターンに従ってタイムスロットを割り振るために時分割多重化(TDM)を使用するか、または、
前記処理回路が、
前記送信機が前記第1の接続のために使用されていない間に、前記第1の接続を介する送信のためにパケットを統合し、
前記送信機が前記第1の接続のために使用されているときに、前記統合されたパケットを一緒に送信する
ようにさらに構成される、請求項7に記載のユーザ機器デバイス。
【請求項１０】
1つまたは複数のユーザ機器(UE)デバイスへのワイヤレスサービスを提供するアクセスノードにおいて動作可能な方法であって、
第1のUEデバイスへの第1の接続を介して、第1の送信パターンおよび別個の第1の受信パターンを送信するステップと、
前記第1の接続のための前記第1の送信パターンに従って受信するように前記アクセスノードにおける受信機を構成するステップと
を備える、方法。
【請求項１１】
前記第1のUEデバイスが複数の同時接続をサポートすることを示す第1の共存インジケータを、前記第1のUEデバイスから受信するステップをさらに備えるか、または、
前記第1の接続のための前記第1の受信パターンに従って送信するように前記アクセスノードにおける送信機を構成するステップをさらに備える、請求項10に記載の方法。
【請求項１２】
第2の接続を介して、前記第1のUEデバイスから第2の共存インジケータを受信するステップと、
第2の送信パターンおよび第2の受信パターンを前記第1のUEデバイスに送信するステップと、
前記アクセスノードにおける前記受信機を、前記第1の接続のための前記第1の送信パターンに従って受信しながら、前記第2の接続のための前記第2の送信パターンに従って受信するように構成するステップと、
をさらに備えるか、または、
前記アクセスノードにおける送信機を、前記第1の接続のための前記第1の受信パターンに従って送信しながら、前記第2の接続のための前記第2の受信パターンに従って送信するように構成するステップをさらに備える、請求項10に記載の方法。
【請求項１３】
送信機および受信機を含む通信回路であって、1つまたは複数のユーザ機器(UE)デバイスにワイヤレスサービスを提供するように構成された通信回路と、
前記通信回路に結合された処理回路であって、
第1の接続を介して、第1のUEデバイスに、第1の送信パターンおよび別個の第1の受信パターンを送信し、
前記第1の接続のための前記第1の送信パターンに従って受信するようにアクセスノードにおける前記受信機を構成する
ように構成された処理回路と
を備える、アクセスノード。
【請求項１４】
前記処理回路が、前記第1のUEデバイスが複数の同時接続をサポートすることを示す第1の共存インジケータを、前記第1のUEデバイスから受信するようにさらに構成されるか、または、
前記第1の送信パターンおよび第1の受信パターンが、第1の共存インジケータの受信に応答して送信されるか、または、
第1の共存インジケータが、前記第1のUEデバイスによってすでに使用されている第2の送信パターンおよび/または第2の受信パターンを含み、前記アクセスノードが、前記第2の送信パターンおよび第2の受信パターンを、それぞれ前記第1の送信パターンおよび第1の受信パターンとして使用することを回避する、請求項13に記載のアクセスノード。
【請求項１５】
請求項1から6および10から12のいずれか一項に記載の方法を実行するための命令を含むコンピュータプログラム。